(57)【要約】【構成】本発明の実施態様は、２３２℃（４５０゜Ｆ）〜５６６℃（１０５０゜Ｆ）の沸点を有する非塩基性へテロ環窒素を含有する炭化水素ストリームと、０．９０ｇ／ｃｍ３未満の密度（２５℃）を有するモノヒドロキシルアルコール及びこれらの混合物から選択される有効量の処理剤を、その反応体が液相で保持され、非塩基性へテロ環窒素を含有する炭化水素化合物が濃縮された第一のストリーム、および非塩基性へテロ環窒素含有量が低減された第二の処理ストリームを製造するのに効果的な条件で接触させることにより、導電性ポリマー前駆体を分離する方法である。任意に、有効量の鉱酸が、炭化水素ストリームに添加されて、この方法が強化される。【特許請求の範囲】
【請求項１】
導電性ポリマー前駆体の分離方法であって、沸点が２３２℃（４５０゜Ｆ）〜５６６℃（１０５０゜Ｆ）であり非塩基性へテロ環窒素を含有する炭化水素ストリームと、０．９０ｇ／ｃｍ３未満の密度（２５℃）を有するモノヒドロキシルアルコール及びこれらの混合物から選択される有効量の処理剤を、その反応体が液相で保持され、非塩基性へテロ環窒素を含有する炭化水素が濃縮された第一のストリーム、および非塩基性へテロ環窒素含有量が低減された第二の処理ストリームを製造するのに効果的な条件で接触させる工程を含むことを特徴とする、導電性ポリマー前駆体の分離方法。
【請求項２】
有効量の鉱酸を、前記処理剤に添加する工程をさらに含むことを特徴とする請求項１に記載の導電性ポリマー前駆体の分離方法。
【請求項３】
前記炭化水素ストリームは、灯油、ディーゼル油、軽質ガス油、常圧ガス油、減圧ガス油、軽質接触分解油および軽質接触循環油から選択されることを特徴とする請求項１に記載の導電性ポリマー前駆体の分離方法。
【請求項４】
前記第二の処理ストリームを、０．９０ｇ／ｃｍ３未満の密度（２５℃）を有するモノヒドロキシルアルコール、及びこれらの混合物からなる群から選択される処理剤と、有効量の鉱酸の混合物とを含む溶液と接触させて、へテロ環窒素を含有する炭化水素が濃縮されたストリームと、へテロ環窒素含有量が低減された処理ストリームとを製造する工程をさらに含むことを特徴とする請求項１に記載の導電性ポリマー前駆体の分離方法。
【請求項５】
前記鉱酸有効量は、１〜１０ｍｅｑであることを特徴とする請求項２または４に記載の導電性ポリマー前駆体の分離方法。
【請求項６】
前記モノヒドロキシルアルコールは、メタノール、エタノール及びこれらの混合物からなる群から選択されることを特徴とする請求項１に記載の導電性ポリマー前駆体の分離方法。
【発明の詳細な説明】
【０００１】
本発明の分野
本発明は、導電性ポリマー前駆体の濃縮源を、へテロ環窒素を含有する炭化水素ストリームから分離する方法に関する。
【０００２】
本発明の背景
ポリピロール、ポリインドール、ポリカルバゾールおよび他の高分子ヘテロ環窒素を含有する化合物などの導電性ポリマーは、「ウルマンの工業化学事典」（Ｕｌｌｍａｎｎ’ｓ　Ｅｎｃｙｃｌｏｐｅｄｉａ　ｏｆ　Ｉｎｄｕｓｔｒｉａｌ　Ｃｈｅｍｉｓｔｒｙ）、第Ａ２１巻、ＶＣＨ　パブリッシャーズ社（ＶＣＨ　Ｐｕｂｌｉｓｈｅｒｓ，Ｉｎｃ．）発行、１９９２年、第４２９〜４４７頁）のハーバート　ナーマン（Ｈｅｒｂｅｒｔ　Ｎａａｒｍａｎ）による「ポリマー、電気伝導性」（Ｐｏｌｙｍｅｒｓ，Ｅｌｅｃｔｒｉｃａｌｌｙ　Ｃｏｎｄｕｃｔｉｎｇ）に記載された有用な商品であり、その潜在的用途には、プリント回路基板の可撓性導電路、加熱フィルム、フィルムキーボード、蓄電池の電極物質および電気化学的センサー装置のポリマーコーティングがある。これらのポリマーは、公知のプロセスによって、適切なモノマーまたは前駆体から合成される。
【０００３】
石油ストリームは、これらのモノマーまたは前駆体の潜在的供給源を提供する。しかし、これらのモノマーまたは前駆体の濃度は、一般的には非常に低い。また、それらは同様な沸点の物質で汚染され、それらを分離することを困難にしている。これらのモノマーまたは前駆体は、現在、燃料油源としては有用ではなく、実際には触媒毒として作用する。したがって、石油ストリームからそれらを除去することは、触媒毒を石油ストリームから除去でき、一方、化学製品として使用するための有用な化合物を容易に回収できるという二重の利点を提供するであろう。
【０００４】
石油ストリームには、幅広い種類の有機窒素種が含まれる。したがって、石油を処理する際に用いられる触媒への有害な影響に起因して、これらの種のいくつかを除去する努力がなされてきた。例えば、米国特許第５，６７５，０４３号においては、接触転化プロセスのために、ニトリルを低沸点石油原料材から除去するプロセスが開示される。この場合、ニトリル（ＲＣＮ）を含有するモデル炭化水素ストリームが、特定の処方を満足する溶剤を用いて、より低い温度、例えば、１６〜１４９℃（６０〜３００゜Ｆ）で処理された。モデル原料には、例えば２３２〜５６６℃（４５０゜Ｆ〜１０５０゜Ｆ）の沸点を有する原料において、重質炭化水素原料の特性を示すヘテロ環窒素化合物は含まれなかった。加えて、この文献は、より高いプロセス温度の使用を教示せず、溶剤の選択が演繹的には容易に決定されないことを示している。実際の石油ストリームは、窒素含有化合物および他の成分の複合した混合物である。したがって、当業者は、低沸点ニトリル含有炭化水素ストリームから、異なる有機窒素種を含む他のより高沸点のストリームを処理することを推考できない。
【０００５】
他の特許には、塩基性ヘテロ環窒素種の除去、例えばカルボン酸を用いる抽出による原油または留分からのキノリンの除去が開示されている（例えば、カルボン酸を用いる米国特許第４，９８５，１３９号、ならびにホウ酸およびポリヒドロキシ有機化合物を用いる米国特許第２，８４８，３７５号）。この場合、除去される標的分子の塩基性が利用され、それが酸性抽出溶剤と反応することによって除去される。しかし、酸による処理後に原料中に残存する有機窒素種は、非塩基性ヘテロ環窒素種であると考えられる。この方法は、それらの除去には無効である。これらの「非塩基性」ヘテロ環窒素種（例えば、ピロール、インドール、カルバゾールおよびそれらの置換誘導体）は、この種類に入る。しかし、それらは、塩基性へテロ環窒素のように触媒機能に対して有害でないか、または石油生成物の性能に悪影響を有さないと考えられることから、それらの除去にはほとんど努力が注がれなかった。
【０００６】
より有用な生成物の前駆体であるこれらの非塩基性窒素含有ヘテロ環物質を、選択的に分離または回収する方法を開発することが望まれている。本出願人の発明は、この必要性に取組むものである。
【０００７】
本発明の概要
本発明の実施態様は、２３２℃（４５０゜Ｆ）〜５６６℃（１０５０゜Ｆ）の沸点を有する非塩基性へテロ環窒素を含有する炭化水素ストリームを、０．９０ｇ／ｃｍ３未満の密度（２５℃）を有するモノヒドロキシルアルコール及びこれらの混合物から選択される有効量の処理剤と、その反応体が液相で保持され、非塩基性へテロ環窒素を含有する炭化水素が濃縮された第一のストリーム、および非塩基性へテロ環窒素含有量が低減された第二の処理ストリームを製造するのに効果的な条件で接触させることを提供する。任意に、有効量の鉱酸が処理剤と組合わせて添加される。または、任意に、第二の処理ストリームが、有効量のモノヒドロキシルアルコールおよび有効量の鉱酸と接触される。
【０００８】
本発明は、列挙された工程を含むか、または実質的にそれからなり、本発明は、開示されない工程または限定を必要とすることなく実施される。
【０００９】
好ましい実施態様の詳細な説明
電気化学的重合反応は、導電性ポリマー、および連鎖成長を継続するための適切なモノマーの存在を必要とする。例えば、ポリピロール、ポリインドールまたはポリカルバゾールを製造するために、対応する前駆体（すなわちモノマー）が必要とされる。すなわち、置換されていようとなかろうと、ピロール、インドールおよびカルバゾールが必要とされる。置換とは、アルキル、シクロアルキルまたはアリール側鎖などのさらなる非障害有機基も、また、これらのモノマー上にみられることを意味する。これは、典型的には、石油源から誘導されるモノマーの場合であろう。
【００１０】
本発明の好ましい実施態様は、適切な石油ストリームから誘導される導電性ポリマー前駆体を分離するか、それを回収するか、またはそれを濃縮する方法を提供する。
【００１１】
したがって、本方法は、これらの前駆体の濃縮物を製造するのに有用である。特定のプロセスストリームには、導電性ポリマーを製造するのに有用なモノマーおよび他のサブユニットまたは前駆体の供給源が含まれる。しかし、これらのプロセスストリームは、しばしば、これらを十分な濃度または純度で提供しない。そのために、伝統的に、これらの前駆体の望ましい供給源とみなされなかった。本出願人は、導電性ポリマーを製造する際の前駆体として適切なモノマーおよび他のサブユニットを、それらを含むプロセスストリームから回収し、濃縮する方法を見出した。
【００１２】
これらのプロセスストリームは、典型的には、非塩基性ヘテロ環有機窒素化合物を含むいかなる炭化水素ストリームでもある。任意に、他の有機窒素種も、また、ストリーム中に存在するが、それらが存在することは必要でない。これらの非塩基性有機窒素を含有する化合物は、少なくとも４５０゜Ｆ〜１０５０゜Ｆ（２３２〜５６６℃）の沸点を有する石油ストリームまたは留分に含まれる。好ましくは、これらのストリームまたは留分は、プロセス条件で液体である。
【００１３】
「導電性ポリマー」とは、電気化学的重合反応からの有機窒素含有ポリマーを意味する。「前駆体」、「サブユニット」などの用語には、これらの有機窒素を含有する化合物のモノマー、二量体およびより大きなサブユニット（例えば、ピロール、インドールおよびカルバゾール）が含まれる。これらは、炭化水素ストリームの上記の沸点範囲内に入る。
【００１４】
他の好ましい実施態様においては、本方法は、これらの非塩基性ヘテロ環窒素化合物を含む炭化水素ストリームを、有効量（石油原料材の容量に関して容量基準で１０〜２００％）の処理剤と接触させる工程を提供する。処理剤は、メタノール、エタノール、および０．９０ｇ／ｃｍ３未満の密度（２５℃）を有するアルコールなどのモノヒドロキシル（一価）基のアルコールから選択される。処理剤は、液体であるか、またはプロセス条件で液化可能とされる。
【００１５】
接触は、非塩基性ヘテロ環窒素化合物をストリームから非破壊的に除去するのに効果的な条件で行なわれる。典型的には、温度は、原料ストリームを液体または流動状態で保持して、処理剤が処理される原料ストリーム内に効果的に分散できるのに十分なものとする。これらの温度は、当業者により決定されるが、２０℃〜２５０℃の範囲とすることができる。圧力は、適切には、大気圧〜１０，０００ｋＰａであるが、経済的な理由から、本方法は自己圧力で行なうことが、より経済的である。処理剤は、非塩基ヘテロ環窒素含有化合物を、処理されるストリームから低減するのに、好ましくはその全てを回収するのに十分な量で添加される。これらのストリームは、非塩基性ヘテロ環窒素含有量が異なることから、処理剤の量は、しかるべく調整される。開示された沸点範囲内にあって、非塩基性ヘテロ環窒素種を含むいかなる炭化水素質ストリームも、本明細書に開示される本方法によって処理され、これには、灯油、ディーゼル油、軽質ガス油、常圧ガス油、減圧ガス油、軽質接触分解油および軽質接触循環油が含まれる。
【００１６】
他の好ましい実施態様においては、有効量の酸（典型的には、硫酸、塩酸、リン酸、亜リン酸およびこれらの混合物などの鉱酸の１〜１０ミリ当量）が、添加されて、本方法が強化される。酢酸などの有機酸は、この場合には、鉱酸ほど有効でない。本発明のこの実施態様は、カルバゾールなどの非塩基性ヘテロ環窒素種ばかりでなく、アニリンおよびキノリンなどの塩基性種のいずれをも除去することを可能にする。これらは、いずれも導電性ポリマーを製造するのに有用である。ヘテロ環種の塩基性／非塩基性の比率は、石油ストリームの範囲においてかなり異なる。いくつかの場合には、先ず、非塩基性ヘテロ環種を非酸性溶剤で抽出し、次いで酸性溶剤を用いる第二の抽出で、塩基性窒素種を分離することが好ましい。
【００１７】
前駆体リッチの抽出溶剤相を炭化水素ストリームから分離するのに続いて、ヘテロ環窒素種が、当業者に知られた手段によって、例えばより低沸点の処理剤を蒸留するか、または有効量の水をエキストラクトに添加する（これにより、ヘテロ環窒素分子が相分離される）ことによって回収される。この高度に濃縮された窒素リッチ相は、必要に応じて、電気化学的重合に付される前に、通常の手段によってさらに精製される。
【００１８】
したがって、本発明の方法は、窒素化合物を、望ましくはその酸性度またはアルカリ度に関係なく、特定の炭化水素ストリームから回収または濃縮する簡便な方法を提供する。この方法は、したがって、導電性ポリマーを合成する際に有用なこれらの化合物を回収することを可能にし、また、これらの成分が濃縮された原料ストリームを提供する。また、有利なことに、処理された石油原料ストリームは、結果的に窒素含有量が低減される。
【００１９】
本方法は、次の実施例を参照して説明される。
【００２０】
実施例１：窒素の除去
未使用のディーゼル油５０ｇおよび処理剤５０ｇを、２５０ｍｌ分液ロート内で、２５℃で一分間激しく振盪した。この二相を分離させた。ディーゼル油相の窒素含有量を、ＡＳＴＭ　Ｄ−４６２９に準拠して、窒素特定検出器（Ａｎｔｅｋ）を用いるガスクロマトグラフィー分析を用いて測定した。最初のディーゼル油は、８７ｗｐｐｍの窒素含有量を有していた。メタノールおよびエタノールによる単一の抽出分離の後、原料中に残存する窒素量は、それぞれ３２および３６ｗｐｐｍであった。
【国際公開パンフレット】
2004501220.tif 000002
2004501220.tif 000003
2004501220.tif 000004
2004501220.tif 000005
2004501220.tif 000006
2004501220.tif 000007
2004501220.tif 000008
2004501220.tif 000009
2004501220.tif 000010
2004501220.tif 000011
【国際公開パンフレット（コレクトバージョン）】
2004501220.tif 000012
【国際調査報告】
2004501220.tif 000013
2004501220.tif 000014
2004501220.tif 000015